(57)【要約】【課題】ＤＶＤ等の媒体を効率良く収納できると共に、不慮の落下を防ぎ、出し入れが容易で、安価に製作できる収納容器を提供する。【解決手段】筒状の容器本体２と、容器本体２の両端開口部３，３に開閉自在に設けた蓋体４，４と、容器本体２内に配設され、ＤＶＤ等の板状体５を収納保持するための収納保持体６とを備える収納容器１であって、収納保持体６は、容器本体２の両端開口部３，３側に順次交互に逆方向に開放される複数の収納スペース１１，１１…を備え、収納スペース１１の開放部１２近傍に板状体５を保持する保持部１３が設けられている。収納保持体６は、蛇腹状に形成されている。保持部１３は、半片が収納スペース１１内の開放部１２近傍の内壁に固着され、他方の半片が収納スペース１１内に突出するように設けられた２つ折りの折曲片から成り、収納スペース１１内の両内壁に固着された保持部１３，１３によって板状体５が保持される。【選択図】図３
2009184689.tif 000002
【特許請求の範囲】
【請求項１】
筒状の容器本体と、前記容器本体の両端開口部に開閉自在に設けた蓋体と、前記容器本体内に配設され、板状体を収納保持するための収納保持体とを備える収納容器であって、前記収納保持体は、前記容器本体の両端開口部側に順次交互に逆方向に開放される複数の収納スペースを備え、前記収納スペースの開放部近傍に板状体を保持する保持部が設けられていることを特徴とする収納容器。
【請求項２】
前記収納保持体は、蛇腹状に形成されていることを特徴とする請求項１記載の収納容器。
【請求項３】
前記収納保持体は、２つ折りした折曲板が開放部を順次交互に逆方向に向けて複数枚積層されてなることを特徴とする請求項１記載の収納容器。
【請求項４】
前記保持部は、２つ折りした前記折曲板の開放端部を夫々前記収納スペース側へ所定長さ折曲して形成されたものであることを特徴とする請求項３記載の収納容器。
【請求項５】
前記保持部は、半片が前記収納スペース内の開放部近傍の内壁に固着され、他方の半片が前記収納スペース内に突出するように設けられた２つ折りの折曲片から成り、前記収納スペース内の開放部近傍の両内壁に固着された前記保持部の突出する両半片によって板状体が保持されるように構成されていることを特徴とする請求項１乃至３のうちいずれか一に記載の収納容器。
【請求項６】
前記保持部は、隣り合う２つの前記収納スペースを形成する前記収納保持体の開放側端部を被包すると共に、隣り合う２つの前記収納スペース側に延設される折曲片であることを特徴とする請求項１乃至３のうちいずれか一に記載の収納容器。
【請求項７】
前記保持部は、前記収納スペース内の開放部近傍の両内壁に設けられた弾性片であることを特徴とする請求項１乃至３のうちいずれか一に記載の収納容器。
【請求項８】
前記保持部は、隣り合う２つの前記収納スペースを形成する前記収納保持体の開放側端部を被包すると共に、隣り合う２つの前記収納スペース側に延設される弾性片であることを特徴とする請求項１乃至３のうちいずれか一に記載の収納容器。
【請求項９】
前記収納保持体は、軟質発泡樹脂により、一体に形成されていることを特徴とする請求項１記載の収納容器。
【請求項１０】
前記容器本体の両端開口部に、外周部が小さく形成された前記蓋体を嵌合させるため嵌合部が形成され、前記蓋体は、一端開放の箱状に形成され、前記蓋体の開放口の一辺が前記嵌合部端部の一辺に回転自在に支着され、前記嵌合部端部の前記一辺の対向辺の外周部は、前記蓋体の嵌合を容易にするため、斜設又は斜欠されていることを特徴とする請求項１乃至９のうちいずれか一に記載の収納容器。
【請求項１１】
前記容器本体の両壁に両端部を固着され、前記収納保持体の略中間部を保持して、前記収納保持体の所定以上の変形を防止する変形防止板を設けたことを特徴とする請求項１乃至１０のうちいずれか一に記載の収納容器。
【発明の詳細な説明】
【技術分野】
【０００１】
本発明は、ＤＶＤ、ＣＤ又はＦＤ等の媒体を効率良く収納できると共に、出し入れが容易で、安価に製作できる収納容器に関する。
【背景技術】
【０００２】
此種従来の、ＤＶＤ、ＣＤ又はＦＤ等の媒体を収納する収納容器は、種々市販されている。
それらの容器は、収納整理には利便性のあるものが多いが、特に、収納枚数が多いものほど、出し入れが不便なものが多い。
尚、此種の先行文献として、例えば、特許文献１があり、特許文献１には、上方が開口し、開口部には内面に沿って固定された内箱が突出してその開口部が斜めに形成され、収納したＣＤの包装体の一部が内箱の開口端から上方に突出するように形成されたＣＤ収納容器が記載されている。
【特許文献１】特開２００２−３４７８７４号公報
【発明の開示】
【発明が解決しようとする課題】
【０００３】
前述したように、ＤＶＤ等を収納する容器は種々市販されているが、収納枚数が多いものほど、出し入れが不便である等の問題点がある。尚、特許文献１は前記問題点を解決するものではない。
【０００４】
以上の現状に鑑み、本発明は、ＤＶＤ、ＣＤ又はＦＤ等の媒体を効率良く収納できると共に、媒体の不慮の落下を防ぎ、出し入れが容易で、安価に製作できる収納容器を提供することを目的とする。
【課題を解決するための手段】
【０００５】
上記の課題を解決すべく、本発明は以下の構成を提供する。
請求項１に係る発明は、筒状の容器本体と、前記容器本体の両端開口部に開閉自在に設けた蓋体と、前記容器本体内に配設され、板状体を収納保持するための収納保持体とを備える収納容器であって、前記収納保持体は、前記容器本体の両端開口部側に順次交互に逆方向に開放される複数の収納スペースを備え、前記収納スペースの開放部近傍に板状体を保持する保持部が設けられていることを特徴とする収納容器を提供するものである。
【０００６】
請求項２に係る発明は、前記収納保持体は、蛇腹状に形成されていることを特徴とする請求項１記載の収納容器を提供するものである。
【０００７】
請求項３に係る発明は、前記収納保持体は、２つ折りした折曲板が開放部を順次交互に逆方向に向けて複数枚積層されてなることを特徴とする請求項１記載の収納容器を提供するものである。
【０００８】
請求項４に係る発明は、前記保持部は、２つ折りした前記折曲板の開放端部を夫々前記収納スペース側へ所定長さ折曲して形成されたものであることを特徴とする請求項３記載の収納容器を提供するものである。
【０００９】
請求項５に係る発明は、前記保持部は、半片が前記収納スペース内の開放部近傍の内壁に固着され、他方の半片が前記収納スペース内に突出するように設けられた２つ折りの折曲片から成り、前記収納スペース内の開放部近傍の両内壁に固着された前記保持部の突出する両半片によって板状体が保持されるように構成されていることを特徴とする請求項１乃至３のうちいずれか一に記載の収納容器を提供するものである。
【００１０】
請求項６に係る発明は、前記保持部は、隣り合う２つの前記収納スペースを形成する前記収納保持体の開放側端部を被包すると共に、隣り合う２つの前記収納スペース側に延設される折曲片であることを特徴とする請求項１乃至３のうちいずれか一に記載の収納容器を提供するものである。
【００１１】
請求項７に係る発明は、前記保持部は、前記収納スペース内の開放部近傍の両内壁に設けられた弾性片であることを特徴とする請求項１乃至３のうちいずれか一に記載の収納容器を提供するものである。
【００１２】
請求項８に係る発明は、前記保持部は、隣り合う２つの前記収納スペースを形成する前記収納保持体の開放側端部を被包すると共に、隣り合う２つの前記収納スペース側に延設される弾性片であることを特徴とする請求項１乃至３のうちいずれか一に記載の収納容器を提供するものである。
【００１３】
請求項９に係る発明は、前記収納保持体は、軟質発泡樹脂により、一体に形成されていることを特徴とする請求項１記載の収納容器を提供するものである。
【００１４】
請求項１０に係る発明は、前記容器本体の両端開口部に、外周部が小さく形成された前記蓋体を嵌合させるため嵌合部が形成され、前記蓋体は、一端開放の箱状に形成され、前記蓋体の開放口の一辺が前記嵌合部端部の一辺に回転自在に支着され、前記嵌合部端部の前記一辺の対向辺の外周部は、前記蓋体の嵌合を容易にするため、斜設又は斜欠されていることを特徴とする請求項１乃至９のうちいずれか一に記載の収納容器を提供するものである。
【００１５】
請求項１１に係る発明は、前記容器本体の両壁に両端部を固着され、前記収納保持体の略中間部を保持して、前記収納保持体の所定以上の変形を防止する変形防止板を設けたことを特徴とする請求項１乃至１０のうちいずれか一に記載の収納容器を提供するものである。
【発明の効果】
【００１６】
本発明の請求項１記載の発明によれば、ＤＶＤ、ＣＤ又はＦＤ等の媒体、或いは、その他の板状体等を効率良くコンパクトに収納できると共に、媒体又は板状体等の不慮の落下を防ぎ、出し入れが容易で、安価に製作できる収納容器を提供することができる。又、本発明の収納容器は携帯性が良く、取り扱いが容易である。更に、本発明の収納容器は両端開口部から収納できるので収納効率及び出し入れの効率が良く、又、右利き、左利きの何れの利用者にも使い勝手が良い。
【００１７】
請求項２記載の発明によれば、請求項１記載の発明の効果に加え、収納保持体を安価に製作できる。
【００１８】
請求項３記載の発明によれば、請求項１記載の発明の効果に加え、収納保持体を安価に製作できる。
【００１９】
請求項４記載の発明によれば、請求項３記載の発明の効果に加え、保持部を容易に製作できる。
【００２０】
請求項５記載の発明によれば、請求項１乃至３のうちいずれか一に記載の発明の効果に加え、保持部を安価に製作できる。
【００２１】
請求項６記載の発明によれば、請求項１乃至３のうちいずれか一に記載の発明の効果に加え、保持部を安価に製作できる。
【００２２】
請求項７記載の発明によれば、請求項１乃至３のうちいずれか一に記載の発明の効果に加え、保持部を安価に製作できる。
【００２３】
請求項８記載の発明によれば、請求項１乃至３のうちいずれか一に記載の発明の効果に加え、保持部を安価に製作できる。
【００２４】
請求項９記載の発明によれば、請求項１記載の発明の効果に加え、収納保持体を安価に製作できる。
【００２５】
請求項１０記載の発明によれば、請求項１乃至９のうちいずれか一に記載の発明の効果に加え、蓋体の開閉が容易である。
【００２６】
請求項１１記載の発明によれば、請求項１乃至１０のうちいずれか一に記載の発明の効果に加え、変形防止板によって、収納保持体の所定以上の変形を防止し、収納された板状体の偏りを防止することができる。
【発明を実施するための最良の形態】
【００２７】
以下、実施例を示した図面を参照しつつ本発明の実施の形態を説明する。
図１乃至図３に於いて、１は、本発明の収納容器を示し、収納容器１は、筒状の容器本体２と、容器本体２の両端開口部３，３に開閉自在に設けた蓋体４，４と、容器本体２内に配設され、ＤＶＤ等の板状体５を収納保持するための収納保持体６とを備えている。
尚、収納容器１は、紙、プラスチック、木、竹、金属等で作成される。又、板状体５とは、ＤＶＤ、ＣＤ、ＦＤ、ＩＣカード、キャッシュカード等の記憶媒体や、各種カード、ケース入りＤＶＤ、ケース入りＣＤ、ケース入りＦＤ等である。
【００２８】
そして、収納保持体６は、容器本体２の両端開口部３，３側に順次交互に逆方向に開放される複数の収納スペース１１，１１を備え、収納スペース１１の開放部１２近傍に板状体５を保持する保持部１３が設けられている。
【００２９】
収納保持体６は、図５（ａ）に示すように、収納保持体本体６ａが蛇腹状に形成され、保持部１３は、半片が収納スペース１１内の開放部１２近傍の内壁に固着され、他方の半片が収納スペース１１内に突出するように設けられた２つ折りの折曲片から成り、収納スペース１１内の開放部１２近傍の両内壁に固着された保持部１３，１３の突出する両半片によって板状体５が保持されるように構成されている。
尚、板状体５は、収納スペース１１を形成する収納保持体本体６ａによって、収納スペース１１内奥部でも保持される。
【００３０】
又、収納保持体６は、板状体５を収納スペース１１内に収納した状態で、板状体５の一部が収納スペース１１の開放部１２から外方に突出（露出）するように形成されている。
更に、収納保持体本体６ａの厚み、保持部１３の厚み、及び、保持部１３の突出する半片の突出寸法等により、収納スペース１１，１１内に収納される隣り合う板状体５，５の収納スペース１１の開放部１２から突出する部分は、出し入れが容易になるように、相互に所定間隔離間して収納されるように構成されている。
【００３１】
そして、図１又は図２に示すように、収納保持体６の略中間部を保持して、収納保持体６の所定以上の変形を防止する変形防止板１４が、容器本体２の上下両壁に両端部を固着されて設けられている。
【００３２】
更に、容器本体２の両端開口部３，３に、蓋体４，４を嵌合させるため外周部が小さく形成された嵌合部１５，１５が形成され、蓋体４は、一端開放の箱状に形成され、蓋体４の開放口の一辺が嵌合部１５端部の一辺に回転自在に支着され、嵌合部１５端部の前記一辺の対向辺の外周部１５ａは、蓋体４の嵌合を容易にするため、斜設又は斜欠されている。
尚、図に於いて、１６は、容器本体２に貼付されるラベルであり、収納容器１内に収納される板状体５、即ち、ＤＶＤ等の名称等を記入するものである。
【００３３】
図３は、板状体５であるＤＶＤ（盤）５Ａを本発明の収納容器１内に収納した状態を示している。
収納容器１は、図３に示すように、容器本体２の両端部の蓋体４，４を容器本体２に対し９０度開いた状態にして、蓋体４，４を台等の上に載置すると、蓋体４，４上に容器本体２が立設状態で載置し、ＤＶＤ５Ａ等を出し入れし易くなる。
このように、収納容器１の蓋体４，４を開いた状態で、ＤＶＤ５Ａを収納保持体６の収納スペース１１に収納すると、ＤＶＤ５Ａは収納スペース１１内の内奥部で収納スペース１１を形成する収納保持体本体６ａの両壁部に挟圧されると共に、収納保持体本体６ａの両壁部から突出する保持部１３，１３の両半片によって挟圧されて保持され、ＤＶＤ５Ａは、収納容器１が多少傾いても収納スペース１１から離脱（脱落又は落下）しないように保持される。
尚、この時、ＤＶＤ５Ａは、前述したように、ＤＶＤ５Ａの一部が収納スペース１１の開放部１２から突出し、出し入れが容易になるように収納される。
【００３４】
又、収納スペース１１，１１内に収納される隣り合うＤＶＤ５Ａ，５Ａは、収納スペース１１の開放部１２から突出する部分が相互に所定間隔離間し、出し入れが容易になるように収納される。
【００３５】
ＤＶＤ５Ａを取り出す時は、収納スペース１１の開放部１２から突出するＤＶＤ５Ａの一部を摘んで、取り出すことができる。
【００３６】
尚、ＤＶＤ５Ａを出し入れする時の、収納容器１は、図３に示すように、立設状態であっても良いが、収納容器１の容器本体２を片手で把持して、片方の蓋体４を開け、他方の手でＤＶＤ５Ａを把持して出し入れしても良い。
【００３７】
収納容器１は、開けた蓋体４側からＤＶＤ５Ａを出し入れする時にＤＶＤ５Ａのレーベル面が見えるように上面となる面がＤＶＤ５Ａの表面となるように収納することができる。
又、右利きの人と、左利きの人では、ＤＶＤ５Ａの出し入れ方向が異なることになるが、その場合にも、右利きの人と、左利きの人に合わせて、出し入れ時にＤＶＤ５Ａのレーベル面が見えるように収納することができる。
【００３８】
図４（ａ）は、収納容器１の片方の蓋体４のみを開けた状態を示している。このように、蓋体４は、必要な蓋体４のみを開けることができる。
図４（ｂ）は、収納容器１の両方の蓋体４，４が閉じられた状態を示している。
【００３９】
図５（ｂ）は、前記収納保持体｛図５（ａ）に於いて６｝の第１変形例の収納保持体２１を示し、収納保持体２１は、２つ折りした折曲板２１Ａが開放部を順次交互に逆方向に向けられ、複数枚積層されて形成されたものである。
この場合、収納保持体２１の保持部２２は、２つ折りした折曲板２１Ａの開放端部を夫々収納スペース２３，２３側へ所定長さ折曲して形成されたものである。
所定長さ折曲された保持部２２が、前記保持部｛図５（ａ）に於いて１３｝の折曲された半片と同様に作用し、同様の効果を得ることができる。
【００４０】
図５（ｃ）は、前記収納保持体｛図５（ａ）に於いて６｝の第２変形例の収納保持体３１を示し、収納保持体３１は、蛇腹状に形成され、保持部３２は、隣り合う２つの収納スペース３３，３３を形成する収納保持体３１の開放側端部を被包すると共に、隣り合う２つの収納スペース３３，３３側に延設される折曲片から成る。
保持部３２の収納スペース３３側に延設される部分が、前記保持部｛図５（ａ）に於いて１３｝の折曲された半片と同様に作用し、同様の効果を得ることができる。
【００４１】
図６（ａ）は、前記収納保持体｛図５（ａ）に於いて６｝の第３変形例の収納保持体４１を示し、収納保持体４１は、蛇腹状に形成され、保持部４２は、隣り合う２つの収納スペース４３，４３を形成する収納保持体４１の開放側端部を被包すると共に、隣り合う２つの収納スペース４３，４３側に延設される軟質発泡樹脂等の弾性片から成る。
保持部４２の収納スペース４３側に延設される部分が、前記保持部｛図５（ａ）に於いて１３｝の折曲された半片と同様に作用し、同様の効果を得ることができる。
【００４２】
図６（ｂ）は、前記収納保持体｛図５（ａ）に於いて６｝の第４変形例の収納保持体５１を示し、収納保持体５１は、蛇腹状に形成され、保持部５２は、収納スペース５３内の開放部５４近傍の両内壁に夫々設けられる軟質発泡樹脂等の弾性片から成る。
保持部５２が、前記保持部｛図５（ａ）に於いて１３｝の折曲された半片と同様に作用し、同様の効果を得ることができる。
【００４３】
図６（ｃ）は、前記収納保持体｛図５（ａ）に於いて６｝の第５変形例の収納保持体６１を示し、収納保持体６１は、軟質発泡樹脂等により一体に形成され、保持部６２は、収納スペース６３の開放部近傍の収納スペース６３両壁面から夫々対向するように突出して形成されている。
保持部６２の収納スペース６３側に突出する部分が、前記保持部｛図５（ａ）に於いて１３｝の折曲された半片と同様に作用し、同様の効果を得ることができる。
【００４４】
尚、図示は省略するが、図５（ｂ）に示した第１変形例の収納保持体２１に於いて、保持部２２に代えて（即ち、折曲板２１Ａの開放端部を折曲しないで）、前記保持部３２、保持部４２、又は、保持部５２を設けることも可能である。然る時も、それらの保持部が前記保持部｛図５（ａ）に於いて１３｝の折曲された半片と同様に作用し、同様の効果を得ることができる。
【図面の簡単な説明】
【００４５】
【図１】本発明による収納容器の斜め右方から見た斜視図である。
【図２】本発明による収納容器の斜め左方から見た斜視図である。
【図３】本発明による収納容器にＤＶＤを収納した状態を示す斜視図である。
【図４】（ａ）本発明による収納容器の右蓋体を開けた状態を示す斜視図である。（ｂ）本発明による収納容器の両蓋体を閉じた状態を示す斜視図である。
【図５】（ａ）本発明による収納保持体の一例を示す平面図である。（ｂ）本発明による収納保持体の第１変形例を示す平面図である。（ｃ）本発明による収納保持体の第２変形例を示す平面図である。
【図６】（ａ）本発明による収納保持体の第３変形例を示す平面断面図である。（ｂ）本発明による収納保持体の第４変形例を示す平面断面図である。（ｃ）本発明による収納保持体の第５変形例を示す平面断面図である。
【符号の説明】
【００４６】
１  収納容器
２  容器本体
３  開口部
４  蓋体
５  板状体
６，２１，３１，４１，５１  収納保持体
１１，２３，３３，４３，５３，６３  収納スペース
１２  開放部
１３，３２，４２，５２  保持部
１４  変形防止板
【図１】
2009184689.tif 000003
【図２】
2009184689.tif 000004
【図３】
2009184689.tif 000005
【図４】
2009184689.tif 000006
【図５】
2009184689.tif 000007
【図６】
2009184689.tif 000008